(57)【特許請求の範囲】
【請求項１】
矩形状に形成された絶縁基板に誘導電磁界を伝送媒体としてデータ送受信するに適したアンテナコイルを形成するとともに、この絶縁基板より小さい一つの小型電子カードを着脱自在に装着する同じ寸法形状の第１及び第２の取付け溝を形成し、かつ前記第１の取付け溝内に前記アンテナコイルの両端部のアンテナ端子を臨ませたアンテナ基板と、
前記第１及び第２の取付け溝に装着される形状に形成されたカード基板に、非接触式及び接触式ＩＣカードとして機能するＩＣモジュールが内蔵され、前記カード基板の表面に非接触式ＩＣカードとして使用されるときのカード側アンテナ端子及び接触式ＩＣカードとして使用されるときのカード端子が設けられ、前記第１の取付け溝には前記カード側アンテナ端子とアンテナ端子とが接続されるよう裏側に向けて装着され、前記第２の取付け溝には前記カード側アンテナ端子及びカード端子が表面に露出される表側に向けて装着される小型電子カードとを備えたことを特徴とするＩＣカード。
【請求項２】
前記アンテナ基板の第１あるいは第２の取付け溝は、同一の表面側、あるいは互いに異なる表面側及び裏面側に形成されていることを特徴とする請求項１記載のＩＣカード。
【発明の詳細な説明】
【０００１】
【発明の属する技術分野】
本発明は、誘導電磁界を伝送媒体としてデータ送受信するためのアンテナコイルを設けたアンテナ基板に小型電子カードを着脱できるようにしたＩＣカードに関し、さらに詳しくは、移動体通信機に着脱自在に装着したＩＣチップを、移動体通信機から取り外したときに、単独のＩＣカードとして用いることができるＩＣカードに関するものである。
【０００２】
【従来の技術】
従来、カード基板中に集積回路を内蔵したＩＣカードは、一般的に使用されているクレジットカードと同様に規格化された縦５４ｍｍ、横８６ｍｍの形状寸法に形成され、表面には複数個（８個）の接点が設けられ、カードリーダ／ライタにより接点を介してデータの読み書きできるようになっている。この種のＩＣカードは、接触式によるカードであるが、近年では、誘導電磁界を伝送媒体としてデータの読み書きができる非接触式ＩＣカードが開発され、例えば、入退出用のゲートにカードリーダ／ライタを設け、非接触式ＩＣカードをかざすだけでゲートを開閉するシステム等も検討されている。一方、携帯電話機等の携帯型電子機器は、ますます軽量小型化するとともに、音声通信だけでなくデータの送受信ができるようになり、多くの人が所持し大幅に普及している。このような携帯電話機等にＩＣカードを装着する場合に、従来のクレジットカードと同様の形状寸法のものでは大きく、そのために、例えば、縦２０ｍｍ、横２５ｍｍ程度の形状寸法に形成された小型電子カード（マイクロカード：ＩＣチップ）を使用することが検討されている。本出願人は、非接触のためのアンテナ基板を取付け、この基板に非接触式ＩＣカードが着脱できるようにした携帯電子機器について提案している。
【０００３】
【発明が解決しようとする課題】
しかしながら、非接触式ＩＣカードを着脱できる携帯電子機器では、その電子機器本体内に設けたアンテナ基板に装着して使用するため、非接触式ＩＣカードを取り外したときには、単独に非接触方式で使用できない不便があった。このため、携帯電子機器が破損したとき、機器内に装着したＩＣチップが利用不能となり、ＩＣチップ内に保存された多数の重要情報が容易に利用することができなくなっていた。また、接触式及び非接触式の両方の機能を持つ小型のＩＣカード（コンビカード）では、一般的なクレジットカードと同じ形状寸法のカード基板に装着して、接触式あるいは非接触式により読み書きできれば便利である。
【０００４】
本発明は上記事情に鑑みなされたもので、ＩＣチップを装着した携帯電子機器が破損したとき、装着していたＩＣチップを単独で容易に一般のＩＣカードとして利用することができ、小型電子カードを通常使用されている形状寸法の基板に装着でき、接触式あるいは非接触式で読み書きが可能になるＩＣカードを提供することを目的とする。
【０００７】
【課題を解決するための手段】
上記目的を達成するために請求項１に記載の発明にあっては、矩形状に形成された絶縁基板に誘導電磁界を伝送媒体としてデータ送受信するに適したアンテナコイルを形成するとともに、この絶縁基板より小さい一つの小型電子カードを着脱自在に装着する同じ寸法形状の第１及び第２の取付け溝を形成し、かつ前記第１の取付け溝内に前記アンテナコイルの両端部のアンテナ端子を臨ませたアンテナ基板と、前記第１及び第２の取付け溝に装着される形状に形成されたカード基板に、非接触式及び接触式ＩＣカードとして機能するＩＣモジュールが内蔵され、前記カード基板の表面に非接触式ＩＣカードとして使用されるときのカード側アンテナ端子及び接触式ＩＣカードとして使用されるときのカード端子が設けられ、前記第１の取付け溝には前記カード側アンテナ端子とアンテナ端子とが接続されるよう裏側に向けて装着され、前記第２の取付け溝には前記カード側アンテナ端子及びカード端子が表面に露出される表側に向けて装着される小型電子カードとを備えたことを特徴とするものである。小型電子カードを第１の取付け溝に裏側に向けて装着して非接触式ＩＣカードとして使用することができ、第２の取付け溝に表側に向けて装着して接触式ＩＣカードとして使用することができる。
【０００８】
請求項２に記載の発明にあっては、前記アンテナ基板の第１あるいは第２の取付け溝は、同一の表面側、あるいは互いに異なる表面側及び裏面側に形成されていることを特徴とするものである。小型電子カードをアンテナ基板の表面あるいは裏面に装着することで、接触式あるいは非接触式ＩＣカードとして読み書きが可能になる。
【００１１】
【発明の実施の形態】
以下、本発明を図示の一実施形態により具体的に説明する。図1及び図2は本発明第1実施形態のＩＣカードを説明する図であり、図1はＩＣカードの分解斜視図、図2はＩＣカードの斜視図である。
【００１２】
これらの図において、本実施形態のＩＣカード１０は、アンテナ基板１１に小型電子カード１２が着脱できるように構成され、他のカードリーダ／ライタとの間で接触式及び非接触式で読み書きできるものである。
【００１３】
アンテナ基板１１は、クレジットカード等と同様の規格化された縦５４ｍｍ、横８６ｍｍの寸法形状の矩形板状に形成された硬質塩化ビニール等のプラスチック板材から構成される絶縁基板であり、アンテナコイル１３、及び小型電子カード１２を装着するための取付け溝１５が設けられ、アンテナコイル１３の両端部のアンテナ端子１４が取付け溝１５内に臨まされている。このようなアンテナ基板１１は、例えば、上記と同様の縦横の寸法形状を有するプラスチック板材からなる第１の基板１１ａと、第２の基板１１ｂとを有し、第１の基板１１ａは、表面の周縁側に誘導電磁界を伝送媒体としてデータ送受信するに適したループ状のアンテナコイル１３がエッチング等により形成され、そのアンテナコイル１３の両端部にアンテナ端子１４が設けられ、第２の基板１１ｂは、表面に小型電子カード１２がぴったりと嵌めこむことができる縦２０ｍｍ、横２５ｍｍ程度の寸法で一つの角部に切欠き１５ａを有する孔が形成され、それぞれを互いに貼り合わせることで形成される。
【００１４】
小型電子カード１２は、例えば、縦２０ｍｍ、横２５ｍｍ程度の寸法に形成されその一つの角部に切欠き１６ａを有するカード基板１６を備え、そのカード基板１６に接触式及び非接触式として機能するＩＣモジュール１７が内蔵され、表面には接触式として使用するときに接続されるカード端子１８が形成され、裏面には非接触式として使用するときにアンテナ端子１４に接続するカード側アンテナ端子１９が形成されている。これらのカード端子１４及びカード側アンテナ端子１９は、例えば、通常のＩＣカードに対して使用されている８つの端子（Ｃ１〜Ｃ８）と同一の割付になっており、かつカード端子１８は規格化された端子位置に配置され、カード側アンテナ端子１９は、将来の拡張ための予備端子を使用して裏面に配置されている。なお、小型電子カード１２は、アンテナ基板１１の取付け溝１５に指で押し込んで装着したとき、周縁部においてぴったりと嵌め込まれて外れない寸法と形状に形成され、かつ取付け溝１５内においてカード側アンテナ端子１９とアンテナ端子１４とが電気的に接続されるように形成されている。また、アンテナ基板１１に装着された小型電子カード１２は、取付け溝１５が形成されたアンテナ基板１１の背面側を指で押圧することで外すことができるようになっている。この小型電子カードは、アドレス等の通信データのほか、チケット販売の決済確認ＩＤ、座席番号のデータ、銀行の振り込みデータ等が読み書きされ、携帯電子機器内に着脱自在に装着され、携帯電子機器でこれらの情報が表示されるが、アンテナ基板１１に装着することによって単独のＩＣカードとして用いることができるものである。
【００１５】
上記構成のＩＣカード１０では、取付け溝１５の切欠き１５ａの方向をカード基板１６の切欠き１６ａに合わせて指で押し込むことで、アンテナ基板１１の取付け溝１５に小型電子カード１２を装着することができる。この小型電子カード１２をアンテナ基板１１に装着した状態では、カード基板１６の表面がアンテナ基板１１の表面と一致するようぴったりと嵌まり込み、カード端子１８が所定位置の表面に露出され、かつ裏面のカード側アンテナ端子１９が取付け溝１５内においてアンテナ端子１４に接続される。したがって、このＩＣカード１０は、小型電子カード１２のＩＣモジュール１７が、カード側アンテナ端子１９及びアンテナ端子１４を介してアンテナコイル１３に接続されることで、非接触式ＩＣカードとして使用でき、かつ表面に露出しているカード端子１８を介してカードリーダ／ライタにより接触式ＩＣカードとして使用することができる。小型電子カード１２が携帯電子機器に着脱自在に装着して使用するものであるとき、その携帯電子機器から小型電子カード１２を外し、アンテナ基板１１を用いることで、単独に使用することが可能になる。また、小型電子カード１２は、取付け溝１５が形成されたアンテナ基板１１の裏面側を指で押圧することで簡単に外すことができる。
【００１６】
図３及び図５は本発明第２実施形態のＩＣカードを説明する図であり、図３はＩＣカードの分解斜視図、図４は非接触式カードとして使用できるＩＣカードの斜視図、図５は接触式カードとして使用できるＩＣカードの斜視図である。
【００１７】
これらの図において、本実施形態のＩＣカード２０は、アンテナ基板２１に２箇所の第１及び第２の取付け溝２５及び２５′を形成し、それぞれに小型電子カード２２を表側あるいは裏側にして着脱できるように構成され、他のカードリーダ／ライタとの間で接触式あるいは非接触式ＩＣカードとして読み書きできるものである。
【００１８】
アンテナ基板２１は、第１実施形態と同様の材料の矩形板状の絶縁基板からなる第１の基板２１ａと、第２の基板２１ｂとを有し、第１の基板２１ａは、表面に第１実施形態と同様のループ状のアンテナコイル２３が形成され、そのアンテナコイル２３の両端部にアンテナ端子２４が設けられ、第２の基板１１ｂは、表面に小型電子カード２２がぴったりと嵌めこむことができる縦２０ｍｍ、横２５ｍｍ程度の寸法で一つの角部に切欠き２５ａを有する第１の取付け溝２５のための孔、及び第１の取付け溝２５に対し対称な位置に一つの角部に切欠き２５ａ′を有する第２の取付け溝２５′のための孔が形成され、それぞれを互いに貼り合わせることで形成される。そして、アンテナ端子２４は、第１の取付け溝２５内に臨まされている。
【００１９】
小型電子カード２２は、第１実施形態と同様の形状寸法に形成されその一つの角部に切欠き２６ａを有するカード基板２６を備え、そのカード基板２６に接触式及び非接触式として機能するＩＣモジュール２７が内蔵され、表面には接触式として使用するときに接続されるカード端子２８、及び非接触式として使用するときにアンテナ端子２４に接続されるカード側アンテナ端子２９が形成されている。すなわち、本実施形態の小型電子カード２２には、表面側にカード端子２８及びカード側アンテナ端子２９が形成されている。これらの端子２８，２９は、例えば、通常のＩＣカードに対して使用される８つの端子（Ｃ１〜Ｃ８）と同一の割付になっており、規格化された端子位置に配置され、カード側アンテナ端子２９は、将来の拡張のための予備端子を使用している。小型電子カード２２は、非接触式ＩＣカードとして使用するときには、図４に示すように、カード端子２８及びカード側アンテナ端子２９が形成された側を裏面側に向けて第１の取付け溝２５に装着され、接触式として使用するときには、図５に示すように、カード端子２８及びカード側アンテナ端子２９が形成された側を表面側に向けて第２の取付け溝２５′に装着される。小型電子カード２２は、第１の取付け溝２５に装着したときには、カード側アンテナ端子２９とアンテナ端子２４とが電気的に接続され、第２の取付け溝２５′に装着したときには、カード端子２８とカード側アンテナ端子２９が表面に露出するようになっている。なお、一方の取付け溝２５あるいは２５′に小型電子カード２２を装着したときに、他方の取り付け溝２５′あるいは２５には、その溝を塞ぐための小型電子カード２２と同様に切欠き３０ａを有する同一の形状寸法に形成されたカード板３０が装着されるようになっている。
【００２０】
上記構成のＩＣカード２０では、アンテナ基板２１の第１の取付け溝２５の切欠き２５ａの方向をカード基板２６の切欠き２６ａに合わせて指で押し込むことで、図４に示すように、取付け溝２５に小型電子カード２２を裏面側にして装着することができる。そして、第２の取付け溝２５′にはカード板３０が装着される。この小型電子カード２２をアンテナ基板２１に装着した状態では、カード基板２６の表面がアンテナ基板２１の表面と一致するようぴったりと嵌まり込み、裏面のカード側アンテナ端子２９が取付け溝２５内においてアンテナ端子２４に接続され、かつ他の第２の取り付け溝２５′はカード板３０で塞がれる。したがって、このＩＣカード２０は、小型電子カード２２のＩＣモジュール２７が、カード側アンテナ端子２９及びアンテナ端子２４を介してアンテナコイル２３に接続されることで、非接触式ＩＣカードとして使用できる。カード端子２８は、アンテナ基板２１の表面に露出しないため、誤って損傷したりすることがなくなる。第１実施形態と同様に、小型電子カード２２が携帯電子機器に着脱自在に装着して使用するものであるとき、その携帯電子機器から小型電子カード２２を外し、アンテナ基板２１を用いることで、単独に使用することが可能になる。また、小型電子カード２２は、第１の取付け溝２５が形成されたアンテナ基板２１の裏面側を指で押すことで簡単に外すことができる。
【００２１】
次に、アンテナ基板２１の第２の取付け溝２５′の切欠き２５ａ′の方向をカード基板２６の切欠き２６ａに合わせて指で押し込むことで、図５に示すように、第２の取付け溝２５′に小型電子カード２２を表面側にして装着することができる。そして、第１の取付け溝２５にはカード板３０が装着される。この小型電子カード２２をアンテナ基板２１に装着した状態では、カード基板２６の表面がアンテナ基板２１の表面と一致するようぴったりと嵌まり込み、表面にカード端子２８が露出され、かつ他の第１の取り付け溝２５はカード板３０で塞がれる。したがって、このＩＣカード２０は、アンテナ基板２１の表面に露出しているカード端子２８を介してカードリーダ／ライタにより接触式ＩＣカードとして使用することができる。小型電子カード２２が携帯電子機器に着脱自在に装着して使用するものであるとき、その携帯電子機器から小型電子カード２２を外し、アンテナ基板２１を用いることで、単独に使用することが可能になる。また、小型電子カード２２は、第２の取付け溝２５′が形成されたアンテナ基板２１の裏面側を指で押すことで簡単に外すことができる。すなわち、本実施形態のＩＣカード２０では、アンテナ基板２１に形成された第１及び第２の取付け溝２５及び２５′に、小型電子カード２２を裏側あるいは表側に装着することで、非接触式あるいは接着式ＩＣカードとして使用することができる。
【００２２】
なお、上記第１実施形態において、小型電子カード２２は、接触式及び非接触式として機能するＩＣモジュール１７がカード基板１７に内蔵され、カード端子１４が表面側に、カード側アンテナ端子１９が裏面側に設けられた例を説明したが、少なくとも非接触式として機能するＩＣモジュールが内蔵され、裏面にカード側アンテナ端子１９が設けられ、アンテナ基板１１に取付け溝１５が形成され、この取付け溝１５内においてカード側アンテナ端子１９が接続されるアンテナ端子１４が臨まされていればよい。また、上記各実施形態において、小型電子カード１２，２２に切欠き１６ａ，２６ａ、取付け溝１５，２５，２５′に切欠き１５ａ，２５ａ，２５ａ′を形成することで、取付け方向を誤りなく装着できるようにしているが、その他の形状あるいは取付け方向を合わせるためのマーク等であってもよい。さらに、第２実施形態においては、第１及び第２の取付け溝２５，２５′をアンテナ基板２１の一方側の面に設けた例を説明したが、互いに異なる表面及び裏面に設けるようにしてもよい。
【００２３】
【発明の効果】
以上説明したように本発明のＩＣカードは、ＩＣチップを装着した携帯電子機器が破損したとき、装着していたＩＣチップを単独で容易に一般のＩＣカードとして利用することができるもので、矩形板状に形成された絶縁基板にアンテナコイルを形成し、この絶縁基板より小さい小型電子カードを着脱自在に装着する取付け溝を形成し、かつこの取付け溝内にアンテナコイルの両端部のアンテナ端子を臨ませたアンテナ基板と、取付け溝に装着される形状に形成されたカード基板に、少なくとも非接触式ＩＣカードとして機能するＩＣモジュールが内蔵され、取付け溝のアンテナ端子に接続されるカード側アンテナ端子が設けられた小型電子カードとを備えたことで、小型電子カードを通常使用されている形状寸法のアンテナ基板に装着でき、非接触式ＩＣカードとして読み書きが可能になる。
【００２４】
また、本発明のＩＣカードは、矩形状に形成されたアンテナコイルを形成し、この絶縁基板より小さい一つの小型電子カードを着脱自在に装着する同じ寸法形状の第１及び第２の取付け溝を形成し、かつ第１の取付け溝内にアンテナコイルの両端部のアンテナ端子を臨ませたアンテナ基板と、第１及び第２の取付け溝に装着される形状に形成されたカード基板に、非接触式及び接触式ＩＣカードとして機能するＩＣモジュールが内蔵され、カード基板の表面に非接触式ＩＣカードとして使用されるときのカード側アンテナ端子及び非接触式ＩＣカードとして使用されるときのカード端子が設けられ、第１の取付け溝にはカード側アンテナ端子とアンテナ端子とが接続されるよう裏側に向けて装着され、第２の取付け溝にはカード側端子及びカード端子が表面に露出される表側に向けて装着される小型電子カードとを備えたことで、小型電子カードを第１の取付け溝に裏側に向けて装着して非接触式ＩＣカードとして使用することができ、第２の取付け溝に表側に向けて装着して接触式ＩＣカードとして使用することができる。
【図面の簡単な説明】
【図１】本発明第1実施形態のＩＣカードの分解斜視図である。
【図２】本発明第1実施形態のＩＣカードの斜視図である。
【図３】本発明第２実施形態のＩＣカードの分解斜視図である。
【図４】本発明第２実施形態の非接触式カードとして使用できるＩＣカードの斜視図である。
【図５】本発明第２実施形態の接触式カードとして使用できるＩＣカードの斜視図である。
【符号の説明】
１０  ＩＣカード
１１  アンテナ基板
１１ａ  第１の基板
１１ｂ  第２の基板
１２  小型電子カード
１３  アンテナコイル
１４  アンテナ端子
１５  取付け溝
１５ａ  切欠き
１６  カード基板
１６ａ  切欠き
１７  ＩＣモジュール
１８  カード端子
１９  カード側アンテナ端子
２０  ＩＣカード
２１  アンテナ基板
２１ａ  第１の基板
２１ｂ  第２の基板
２２  小型電子カード
２３  アンテナコイル
２４  アンテナ端子
２５  第１の取付け溝
２５′  第２の取付け溝
２５ａ  切欠き
２５ａ′  切欠き
２６  カード基板
２６ａ  切欠き
２７  ＩＣモジュール
２８  カード端子
２９  カード側アンテナ端子
３０  カード板
３０ａ  切欠き
【図１】
0003776310.tif 000002
【図２】
0003776310.tif 000003
【図３】
0003776310.tif 000004
【図４】
0003776310.tif 000005
【図５】
0003776310.tif 000006